(57)【要約】【課題】  開閉ドアの組立作業性が改善する。開閉ドアにばねの負荷が加わらない構造を採用することによって開閉ドアの反り変形を防ぐ。【解決手段】  フロントパネル２の取付け片４，５の軸孔４１，５１に、開閉ドア３の左右の突片６，７の軸体６１，７２を嵌合する。開閉ドア３の左右の突片６，７をフロントネル２の取付け片４，５の外側に嵌合することによって開閉ドア３をその幅方向で位置決めする。開閉ドア３の一方の取付け片７に外向きに支軸９を設け、その支軸９にねじりコイルばねでなるばね要素８１を嵌合保持させる。ばね要素８１は、開閉ドア３を開動方向又は閉動方向に付勢する機能だけを備えている。【選択図】        図１
2006172556.tif 000002
【特許請求の範囲】
【請求項１】
フロントパネルなどの固定側部材に備わっている取付け片の軸孔に、開閉ドアの左右の突片に各別に備わっている軸体が嵌合されてその嵌合箇所を中心として上記開閉ドアが開閉動可能に上記固定側部材に取り付けられ、上記軸孔を貫通する一方の上記軸体の端部に対向して上記固定側部材に具備された位置決め片と、一方の上記軸体の端部を上記位置決め片に弾圧状態で当接させて開閉ドアをその幅方向で位置決めし、かつ、開閉ドアを開動方向又は閉動方向に付勢するばね体と、を備える電気機器筐体の開閉ドア取付け構造において、
上記位置決め片を省略すると共に、開閉ドアの左右の上記突片を固定側部材の上記取付け片の外側に嵌合させることによってそれらの突片で上記取付け片を挟ませることにより開閉ドアをその幅方向で位置決めし、上記軸体の端部を上記位置決め片に弾圧状態で当接させる軸方向付勢機能と開閉ドアを開動方向又は閉動方向に付勢する回動付勢機能との２つの機能を有する上記ばね体を、それら２つの機能のうちの回動付勢機能だけを有するばね要素に置き換え、
開閉ドアの左右の上記突片のそれぞれに上記取付け片の軸孔に嵌合された各別の軸体が内向きに突設されていると共に、一方又は他方の上記取付け片に外向きに支軸が設けられ、その支軸にねじりコイルばねでなる上記ばね要素が嵌合保持されて、そのねじりコイルばねの線材の一端が上記固定側部材に、その他端が一方の上記取付け片に、それぞれ係止され、
上記開閉ドアが横長の合成樹脂成形体でなり、かつ、その開閉ドアによって開閉される固定側部材の開口窓が、光学的に処理される光ディスクを搬入出するためのディスクトレイの出入口であることを特徴とする電気機器筐体の開閉ドア取付け構造。
【請求項２】
フロントパネルなどの固定側部材に備わっている取付け片の軸孔に、開閉ドアの左右の突片に各別に備わっている軸体が嵌合されてその嵌合箇所を中心として上記開閉ドアが開閉動可能に上記固定側部材に取り付けられ、上記軸孔を貫通する一方の上記軸体の端部に対向して上記固定側部材に具備された位置決め片と、一方の上記軸体の端部を上記位置決め片に弾圧状態で当接させて開閉ドアをその幅方向で位置決めし、かつ、開閉ドアを開動方向又は閉動方向に付勢するばね体と、を備える電気機器筐体の開閉ドア取付け構造において、
上記位置決め片を省略すると共に、開閉ドアの左右の上記突片を固定側部材の上記取付け片の外側に嵌合させることによってそれらの突片で上記取付け片を挟ませることにより開閉ドアをその幅方向で位置決めし、上記軸体の端部を上記位置決め片に弾圧状態で当接させる軸方向付勢機能と開閉ドアを開動方向又は閉動方向に付勢する回動付勢機能との２つの機能を有する上記ばね体を、それら２つの機能のうちの少なくとも回動付勢機能を有するばね要素に置き換えたことを特徴とする電気機器筐体の開閉ドア取付け構造。
【請求項３】
開閉ドアの左右の上記突片のそれぞれに上記取付け片の軸孔に嵌合された各別の軸体が内向きに突設されていると共に、一方の上記取付け片に、上記ばね要素が取り付けられている請求項２に記載した電気機器筐体の開閉ドア取付け構造。
【請求項４】
一方又は他方の上記取付け片に外向きに支軸が設けられ、その支軸にねじりコイルばねでなる上記ばね要素が嵌合保持されて、そのねじりコイルばねの線材の一端が上記固定側部材に、その他端が一方の上記取付け片に、それぞれ係止されている請求項３に記載した電気機器筐体の開閉ドア取付け構造。
【発明の詳細な説明】
【技術分野】
【０００１】
本発明は、電気機器筐体の開閉ドア取付け構造、たとえば、フロントパネルなどの固定側部材に具備された開口窓に配備される開閉ドアのフロントパネルに対する取付け構造に関する。
【背景技術】
【０００２】
図３はＤＶＤやＣＤのような光ディスクを取り扱うディスク装置を内蔵した電気機器筐体１を例示した外観斜視図である。図例の電気機器筐体１は、偏平な横長箱形に形成されていて、ボトムケース（樹脂シャーシ）１２と、そのボトムケース１２に合わせて前面開放の横長箱体を形作るトップカバー１３と、ボトムケース１２及びトップカバー１３によって形成された前面開放部に装着される合成樹脂成形体でなるフロントパネル２とを備えていると共に、フロントパネル２に形成された開口窓２１に開閉ドア３が配備されている。
【０００３】
図４は上記開閉ドア３の従来の取付け構造を正面図で示している。同図のように、フロントパネル２の左右２箇所に取付け片４，５が備わっているのに対し、横長の開閉ドア３の左右２箇所に突片６，７が備わり、これらの突片６，７のそれぞれに外向きに突設された軸体６１，７１が、上記各取付け片４，５のそれぞれの軸孔４１，５１に内側から外側に向けて各別に嵌合されている。また、一方の取付け片４の外側に、フロントパネル２に設けられた位置決め片２２が配備されていて、その位置決め片２２が一方の取付け片４の軸孔４１に貫挿されている上記軸体６１の端部に対向しているのに対し、他方の取付け片５と他方の突片７との間には、軸体７１に嵌合されたねじりコイルばねでなるばね体８が介在され、かつ、そのばね体８の線材の一端が他方の突片７に係止され、その線材の他端が他方の取付け片５に係止されている。
【０００４】
この取付け構造において、ねじりコイルばねでなるばね体８は、そのコイル部が圧縮状態で取付け片５と突片７との間に介在されている。そのため、そのコイル部の矢印Ａ方向の復元作用により一方の軸体６１が位置決め片２２に弾圧状態で当接して開閉ドア３がその幅方向（左右方向）で位置決めされている。また、ばね体８は、開閉ドア３を、軸孔５１と軸体７１との嵌合箇所を中心とする開動方向又は閉動方向に弾発付勢している。ここで、軸体６１の端部を位置決め片２２に弾圧状態で当接させるばね体８の機能を軸方向付勢機能といい、開閉ドア３を開動方向又は閉動方向に付勢する機能を回動付勢機能ということにすると、この取付け構造では、ばね体８に軸方向付勢機能と回動付勢機能との２つの機能が備わっていると云える。
【０００５】
一方、先行例として、記録メディア再生装置のスロット部の開閉ドアの左右両端部を、内部メカニズムに一体化されている一対のサイドステーに取り付けることが示されている（特許文献１参照）。また、他の先行例として、携帯型ＣＤ再生装置用筐体の開閉機構として、コイルばねの力を利用して蓋部を開く方向に付勢することが示されている（特許文献２参照）。さらに他の先行例として、ヘッドホンステレオのカセット蓋をヒンジで本体に結合し、かつ、そのカセット蓋をトグルばねによって開く方向に弾発付勢することが記載されている（特許文献３参照）。
【特許文献１】特開２００２−５０１６３号公報
【特許文献２】特開２００２−１１７６６５号公報
【特許文献３】特開２００１−３４５５６７号公報
【発明の開示】
【発明が解決しようとする課題】
【０００６】
図４を参照して説明した従来の開閉ドア取付け構造では、取付け片５と突片７との間にスペースを確保し、そのスペースをばね体８の取付けに利用しているので、開閉ドア３をフロントパネル２に取り付けるときに、開閉ドア３の突片７の軸体７１を取付け片５の軸孔５１に嵌合させる前にその軸体７１にばね体８を嵌め込み、その後で、ばね体８を軸方向に圧縮させながら軸体７１を軸孔５１に嵌合させるという面倒で熟練を要する組立作業を行わねばならない煩わしさがあるという問題があった。
【０００７】
また、ばね体８の取付けに利用する上記スペースを確保しているために、そのばね体８に上記した軸方向付勢機能を具備させて開閉ドア３をその幅方向で位置決めしておく必要性が生じているけれども、そのようにしたことによって、開閉ドア３が、一方の取付け片４とばね体９とにより、ばね体８の弾発力に見合う負荷を受けて弾圧挟持された状態となっている。その結果、開閉ドア３が合成樹脂成形体で成形されている場合に、気温の変化などの温度変化によって反り変形するおそれがあるという問題があった。
【０００８】
これに対し、特許文献１には、開閉ドアの左右両端部を一対のサイドステーに取り付けることが示されているに過ぎず、特許文献２及び同３にはばね力を利用して蓋を開くことが記載されているに過ぎないので、これらの特許文献１〜３に記載されている技術は、上掲の問題点を改善するための対策として利用することができない。
【０００９】
本発明は以上の問題や状況に鑑みてなされたものであり、フロントパネルなどの固定側部材に備わっている取付け片の軸孔に、開閉ドアの左右の突片に各別に備わっている軸体を嵌合して開閉ドアを開閉動可能に上記固定側部材に取り付け、かつ、開閉ドアを開動方向又は閉動方向に付勢する手段としてばね体を用いることを基本として、開閉ドアの組立作業性を改善し、併せて、ばね体の弾発力に起因する負荷が開閉ドアに加わって開閉ドアが反り変形するという事態を生じるおそれのない電気機器筐体の開閉ドア取付け構造を提供することを目的としている。
【００１０】
また、本発明は、光学的に処理される光ディスクを搬入出するためのディスクトレイを備えた電気機器に有利に適用することのできる電気機器筐体の開閉ドア取付け構造を提供することを目的とする。
【課題を解決するための手段】
【００１１】
本発明に係る電気機器筐体の開閉ドア取付け構造は、フロントパネルなどの固定側部材に備わっている取付け片の軸孔に、開閉ドアの左右の突片に各別に備わっている軸体が嵌合されてその嵌合箇所を中心として上記開閉ドアが開閉動可能に上記固定側部材に取り付けられ、上記軸孔を貫通する一方の上記軸体の端部に対向して上記固定側部材に具備された位置決め片と、一方の上記軸体の端部を上記位置決め片に弾圧状態で当接させて開閉ドアをその幅方向で位置決めし、かつ、開閉ドアを開動方向又は閉動方向に付勢するばね体と、を備える電気機器筐体の開閉ドア取付け構造において、上記位置決め片を省略すると共に、開閉ドアの左右の上記突片を固定側部材の上記取付け片の外側に嵌合させることによってそれらの突片で上記取付け片を挟ませることにより開閉ドアをその幅方向で位置決めし、上記軸体の端部を上記位置決め片に弾圧状態で当接させる軸方向付勢機能と開閉ドアを開動方向又は閉動方向に付勢する回動付勢機能との２つの機能を有する上記ばね体を、それら２つの機能のうちの少なくとも回動付勢機能を有するばね要素に置き換えた、というものである。
【００１２】
この構成であれば、開閉ドアの左右の突片を固定側部材の取付け片の外側に嵌合させ、それらの突片で上記取付け片を挟ませることにより開閉ドアをその幅方向で位置決めしているので、開閉ドアの幅方向の位置決めにばね力を利用する必要がない。したがって、開閉ドアが合成樹脂成形体で成形されたものであるとしても、気温の変化などの温度変化によって開閉ドアがばね力に起因する負荷を受けて反り変形するという事態が起こらなくなる。
【００１３】
本発明では、開閉ドアの左右の上記突片のそれぞれに上記取付け片の軸孔に嵌合された各別の軸体が内向きに突設されていると共に、一方の上記取付け片に、上記ばね要素が取り付けられていることが望ましい。これによれば、開閉ドアの左右の軸体を左右の取付け片の軸孔に各別に嵌合させて開閉ドアを固定側部材に取り付けた後に、ばね要素を取り付けることができるようになるため、開閉ドアの組立作業が容易になる。特に、一方又は他方の上記取付け片に外向きに支軸が設けられ、その支軸にねじりコイルばねでなる上記ばね要素が嵌合保持されて、そのねじりコイルばねの線材の一端が上記固定側部材に、その他端が一方の上記取付け片に、それぞれ係止されている、という構成を採用することによって、組立作業に熟練を必要としなくなり、開閉ドアを固定側部材に容易に取り付けることができるようになる。
【００１４】
本発明に係る電気機器筐体の開閉ドア取付け構造は、次の構成を採用することによっていっそう具体化される。すなわち、フロントパネルなどの固定側部材に備わっている取付け片の軸孔に、開閉ドアの左右の突片に各別に備わっている軸体が嵌合されてその嵌合箇所を中心として上記開閉ドアが開閉動可能に上記固定側部材に取り付けられ、上記軸孔を貫通する一方の上記軸体の端部に対向して上記固定側部材に具備された位置決め片と、一方の上記軸体の端部を上記位置決め片に弾圧状態で当接させて開閉ドアをその幅方向で位置決めし、かつ、開閉ドアを開動方向又は閉動方向に付勢するばね体と、を備える電気機器筐体の開閉ドア取付け構造において、上記位置決め片を省略すると共に、開閉ドアの左右の上記突片を固定側部材の上記取付け片の外側に嵌合させることによってそれらの突片で上記取付け片を挟ませることにより開閉ドアをその幅方向で位置決めし、上記軸体の端部を上記位置決め片に弾圧状態で当接させる軸方向付勢機能と開閉ドアを開動方向又は閉動方向に付勢する回動付勢機能との２つの機能を有する上記ばね体を、それら２つの機能のうちの回動付勢機能だけを有するばね要素に置き換え、開閉ドアの左右の上記突片のそれぞれに上記取付け片の軸孔に嵌合された各別の軸体が内向きに突設されていると共に、一方又は他方の上記取付け片に外向きに支軸が設けられ、その支軸にねじりコイルばねでなる上記ばね要素が嵌合保持されて、そのねじりコイルばねの線材の一端が上記固定側部材に、その他端が一方の上記取付け片に、それぞれ係止され、上記開閉ドアが横長の合成樹脂成形体でなり、かつ、その開閉ドアによって開閉される固定側部材の開口窓が、光学的に処理される光ディスクを搬入出するためのディスクトレイの出入口である、という構成を採用することによっていっそう具体化される。この発明についての作用は、後述する実施形態を参照して詳細に説明する。
【発明の効果】
【００１５】
以上のように、本発明によれば、開閉ドアの組立作業性が改善されてその製造コストを安く抑えることが可能になるだけでなく、従来のばね体と置き換えられたばね要素が、少なくとも回転付勢機能を備えていればよいので、従来のばね体に比べてばね要素を安価に入手することが可能になってそれだけ電気機器を安価に提供することが可能になる。また、開閉ドアにばねの負荷が加わらない構造になっているので、開閉ドアがばね要素の負荷を受けて反り変形するという事態が起こらなくなるので、電気機器筐体が外観が開閉ドアの変形によって損なわれることがなくなり、ユーザにとっては、開閉ドアの変形によって使い勝手が損なわれるという事態が起こらなくなる。
【発明を実施するための最良の形態】
【００１６】
図１は本発明の実施形態に係る電気機器筐体の開閉ドア取付け構造の概略正面図、図２は図１の要部のＩＩ矢視拡大図である。
【００１７】
図１又は図２に示した実施形態において、固定側部材としてのフロントパネル２の左右２箇所に備わっている取付け片４，５に軸孔４１，５１が設けられている点は図４を参照して説明した従来例と同様である。これに対し、この実施形態では、横長の開閉ドア３を肉薄の合成樹脂成形体とし、その左右２箇所に備わっている突片６，７を、左右の上記取付け片４，５の外側に嵌合させると共に、それらの突片６，７のそれぞれに内向きに突設した軸体６１，７２を各取付け片４，５の軸孔４１，５１に嵌合させてある。加えて、左右の突片６，７で左右の取付け片４，５を挟ませることによって、開閉ドア３を使用上不都合を生じるような大きながたつきを生じないように左右方向で位置決めしてある。
【００１８】
また、突片７に外向きに支軸９を突設し、その支軸９に嵌合したねじりコイルばねでなるばね要素８１のコイル部８２を嵌合保持させると共に、そのばね要素８１を形成している線材の一端８３を突片７のばね受け突起７３に係止させ、かつ、その線材の他端８４を、フロントパネル２側のばね受け部２３に係止させてある。
【００１９】
この開閉ドア取付け構造において、開閉ドア３の左右方向での位置決めは、開閉ドア３の左右の突片６，７がフロントパネル２の左右の取付け片４，５の外側に嵌合してそれらの取付け片４，５を挟んでいることによって達成されているので、ばね要素８１には、開閉ドア３を横向きに押し付ける作用を具備させる必要がない。したがって、この実施形態では、ばね要素８１に、開閉ドア３を軸孔４１，５１と軸体６１，７２との嵌合箇所を中心とする回動方向又は閉動方向に付勢する機能だけを具備させてある。こうすることにより、開閉ドア３にはそれを反り変形させるような負荷が加わらなくなり、開閉ドア３が反り変形してその開閉時の動作性能が損なわされたり、ユーザにとって電気機器の使い勝手が損なわれたりするおそれがなくなる。
【００２０】
以上説明した構成を、図４を参照して説明した従来例の構成と対比すると、図１の実施形態では、図４の位置決め片２２が省略されているので、フロントパネル２に位置決め片２２を設ける必要がなくなってフロントパネル２の構造が簡素化されるという利点がある。また、図４のばね体８が上記した軸方向付勢機能と回動付勢機能との２つの機能を発揮するものであるのに対し、実施形態のばね要素８１には回動付勢機能だけを具備させ、軸方向付勢機能を具備させていないので、実施形態では、ばね体８をばね要素８１に置き換えたことよって、ばね要素８１を構成しているねじりコイルばねを、ばね体８を構成するねじりコイルばねよりも安価に入手することが可能になり、それだけ電気機器筐体を安価に提供することができるようになる。また、ばね要素８１は、取付け片５の軸孔５１に突片７の軸体７２を嵌め込んだ後で、外向きの支軸９に保持させるという手順で取り付けられるため、開閉ドア３の組立作業が図４のものと比べて容易になり、熟練を必要としないものになる。
【００２１】
以上説明した実施形態では、ばね要素８１に回動付勢機能だけを具備させてあるけれども、この点は、ばね要素８１のコイル部８２によって開閉ドア３を横方向に付勢するように構成することも可能であり、そのようにすると、開閉ドア３の横方向のがたつきを無くすることができるという利点がある。そして、そのようにした場合でも、ばね要素８１のばね力はフロントパネル２側の取付け片５によって受け止められるので、開閉ドア３に反り変形を強いるような負荷が加わることはない。
【００２２】
ところで、図１又は図２を参照して説明した開閉ドア取付け構造は、図３に示した電気機器筐体１に適用することが可能である。その場合、ばね要素８１が開閉ドア３を閉動方向に常時弾発付勢するようにしておくことが望ましい。そのようにしておくと、光学的に処理される光ディスクを搬入出するためのディスクトレイ（不図示）の出入れの際に、内蔵機構によって開閉ドア３をばね要素８１の付勢に抗して開動させるようにしておくだけで済み、ディスクトレイが退入しているときには、ばね要素８１の付勢力によって開閉ドア３によって確実に開口窓２１が閉じられた状態が維持されるようになる。
【００２３】
本発明に係る開閉ドア取付け構造は、光学的に処理される光ディスクを搬入出するためのディスクトレイの出入口に配備される開閉ドア３を対象とする場合だけに限定されず、たとえば、フロッピディスクを使用対象とするスロット部に配備される開閉ドアについても適用が可能である。また、電気機器によっては、フロントパネル２以外の箇所に開閉ドアを取り付けることも考えられ、そのようなものについてもこの開閉ドア取付け構造を適用することができることは勿論である。
【００２４】
なお、図１〜図４において、同一又は相応する部分には同一符号を付してある。
【図面の簡単な説明】
【００２５】
【図１】本発明の実施形態に係る電気機器筐体の開閉ドア取付け構造の概略正面図である。
【図２】図１の要部のＩＩ矢視拡大図である。
【図３】ディスク装置を内蔵する電気機器筐体を例示した外観斜視図である。
【図４】従来の開閉ドア取付け構造の正面図である。
【符号の説明】
【００２６】
２  フロントパネル（固定側部材）
３  開閉ドア
４，５  取付け片
６，７  突片
８  ばね体
２１  開口窓
２２  位置決め片
４１，５１  軸孔
６１，７１，７２  軸体
８１  ばね要素
８３  ねじりコイルばねの線材の一端
８４  ねじりコイルばねの線材の他端
【図１】
2006172556.tif 000003
【図２】
2006172556.tif 000004
【図３】
2006172556.tif 000005
【図４】
2006172556.tif 000006